(57)【要約】【課題】ＵＦＤがホストシステムから切り離されている間に、かつ電源の必要なしにロックをアンロックできる、ＵＦＤをロックおよびアンロックするためのシステムを得る。【解決手段】本発明は、ＵＦＤ（ＵＳＢフラッシュドライブ）に格納され、そこから検索される情報を安全に保護するための、かつパスワードをＵＦＤに入力するために電力を必要としない無電力ロック可能ＵＦＤシステムおよび方法を教示する。このシステムはまた、入力されたパスワードをクリアするためのアラームおよび再設定機構を特徴とする。パスワードは、さらなる保護のために観察者の視界から隠される。システムは、同様に、ハードディスクドライブ（ＨＤＤ）、プリンタ、スキャナ、カメラおよび携帯メモリ装置などの周辺装置に組み込むことができる。【選択図】図１
2009529718.tif 000002
【特許請求の範囲】
【請求項１】
（ａ）ＵＦＤに動作可能に接続されるように構成された、複数の識別可能な機械的状態を有するパスワード入力機構と、
（ｂ）前記複数の識別可能な機械的状態を識別するための状態識別機構と、
（ｃ）（ｉ）前記状態識別機構への外部電力供給と、
（ｉｉ）前記パスワード入力機構の現在の機械的状態が、前記パスワード入力機構の所定の機械的状態と同一であるという、前記状態識別機構による検証と、に基づいてのみ、前記ＵＦＤとホストシステムとの間の動作接続を達成するための電気機構と、
を含む無電力ロック可能ＵＦＤシステム。
【請求項２】
前記パスワード入力機構が、少なくとも１つの機械的ノブを含む、請求項１に記載のシステム。
【請求項３】
前記パスワード入力機構が、少なくとも１つの機械的ボタンを含む、請求項１に記載のシステム。
【請求項４】
前記状態識別機構が、前記ホストシステムに位置する、請求項１に記載のシステム。
【請求項５】
前記所定の機械的状態が、所定のシーケンスに従って、前記ＵＦＤの単一セッションの利用後に、自動的に変化するように構成される、請求項１に記載のシステム。
【請求項６】
前記所定の機械的状態が、前記パスワード入力機構に入力されると観察者の視界から隠される、請求項１に記載のシステム。
【請求項７】
（ｄ）前記所定の機械的状態を変更するための状態変更機構をさらに含む、請求項１に記載のシステム。
【請求項８】
前記所定の機械的状態が、少なくとも１つのホイールの所定の角度位置である、請求項１に記載のシステム。
【請求項９】
前記少なくとも１つのホイールの回転が、２つのワイヤ間の電気抵抗を変更するように構成される、請求項８に記載のシステム。
【請求項１０】
前記少なくとも１つのホイールが、前記少なくとも１つのホイールの回転がシャフトエンコーダの符号化を変更するように、構成される、請求項８に記載のシステム。
【請求項１１】
前記状態識別機構が、前記ＵＦＤに位置する、請求項１に記載のシステム。
【請求項１２】
前記ＵＦＤが、前記ホストシステムによって電力を供給されるように構成される、請求項１１に記載のシステム。
【請求項１３】
前記状態識別機構が、前記ＵＦＤへの電力供給に基づいて自動的に動作を開始するように構成される、請求項１２に記載のシステム。
【請求項１４】
（ｄ）前記ホストシステムからの前記ＵＦＤの比較的長い切断に基づいて前記電気機構を再設定するための再設定機構であって、それに関し、前記ＵＦＤと前記ホストシステムとの間の前記動作接続を再び達成するために、前記所定の機械的状態の再確立を必要とする再設定機構をさらに含む、請求項１に記載のシステム。
【請求項１５】
（ｄ）前記ＵＦＤと前記ホストシステムとの間の前記動作接続が確立されたことに基づいて、前記パスワード入力機構の前記現在の機械的状態を変更するようにユーザに気づかせるためのアラーム機構をさらに含む、請求項１に記載のシステム。
【請求項１６】
前記アラーム機構が、前記ＵＦＤが前記ホストシステムに接続されている間に、前記現在の機械的状態を修正すべく前記ユーザに周期的に警告するように構成される、請求項１５に記載のシステム。
【請求項１７】
前記現在の機械的状態が変更されるまで、前記アラーム機構が、前記ＵＦＤと前記ホストシステムとの間の動作接続を拒否するように構成される、請求項１５に記載のシステム。
【請求項１８】
（ａ）周辺装置に動作可能に接続されるように構成された、複数の識別可能な機械的状態を有するパスワード入力機構と、
（ｂ）前記複数の識別可能な機械的状態を識別するための状態識別機構と、
（ｃ）（ｉ）前記状態識別機構への外部電力供給と、
（ｉｉ）前記パスワード入力機構の現在の機械的状態が、前記パスワード入力機構の所定の機械的状態と同一であるという、前記状態識別機構による検証と、に基づいてのみ、前記周辺装置とホストシステムとの間の動作接続を達成するための電気機構と、
を含む無電力ロック可能周辺装置システム。
【請求項１９】
前記周辺装置が、ハードディスクドライブ（ＨＤＤ）、プリンタ、スキャナ、カメラおよび携帯メモリ装置からなる群から選択される、請求項１８に記載のシステム。
【請求項２０】
無電力ロック可能ＵＦＤに格納されたデータにアクセスする方法であって、
（ａ）前記ＵＦＤへの外部電力供給に基づいて、少なくとも１つのパスワード入力機構の機械的状態を、所定の機械的状態と比較するようにＵＦＤを構成するステップと、
（ｂ）前記機械的状態を第１の状態に設定するステップと、
（ｃ）前記機械的状態を前記第１の状態に設定する前記ステップに続いて、前記ＵＦＤをホストシステムに動作可能に接続するステップと、
（ｄ）前記ホストシステムによる前記ＵＦＤへの電力供給に基づいて、前記第１の状態を前記所定の状態と比較するステップと、
（ｅ）前記第１の状態と前記所定の状態との間の一致に基づいてのみ、前記ＵＦＤと前記ホストシステムとの間の動作接続をイネーブルにするステップと、
を含む方法。 
【発明の詳細な説明】
【技術分野】
【０００１】
本発明は、ＵＦＤ（ＵＳＢフラッシュドライブ）に格納され、そこから検索される情報を安全に保護するための、かつＵＦＤにパスワードを入力するために電力を必要としない無電力ロック可能ＵＦＤシステムおよび方法に関する。
【背景技術】
【０００２】
ＵＦＤは、デジタルデータの携帯記憶装置としてデジタルコンピューティングの技術分野において周知である。ＵＦＤがより普及するとともに、それらは、個人および秘密情報の記憶用にますます用いられている。小さなＵＦＤが失われるか、盗まれるか、または偶発的に交換される可能性は、かなり大きい。上記で挙げた２つの要因ゆえに、秘密情報が無許可のユーザによってアクセスされ得るという主要な情報セキュリティ問題が生じる。ＵＦＤにおける情報のセキュリティを改善する解決法が当該技術分野において周知であり、これらの解決法には、暗号化、パスワード保護および生体認証の方法が含まれる。
【０００３】
ＵＦＤの物理的ロックなど、このセキュリティ問題の追加的な解決法が提案された（米国特許出願第１１／３１８，４７３号明細書）。この問題に対する解決法の代表的な系統は、ＵＦＤの一部であるコンビネーションロックを用いることである。コンビネーションロックに正しい組み合わせが設定された場合にのみ、ＵＦＤは動作可能にされる。この系統の解決法は、他のタイプの解決法と比較して、固有の利点を有する。これらは、ＵＦＤがそのホストシステムに挿入された後で、セキュリティ問題を処理しなければならないことからユーザを解放する。ホストシステムを通したパスワードの入力、またはＵＦＤにおけるファイルの復号化などの他の方法は、ＵＦＤがホストシステムに挿入された後で、ユーザがホストシステムを通してＵＦＤと相互作用することを必要とする。これは、ユーザにとって負担でもあり、ＵＦＤから検索された情報を追跡し捕捉するようにホストシステムがプログラムされる可能性があるので、セキュリティ上のリスクでもある。
【０００４】
ユーザが、独自に、ホストシステムから離れてＵＦＤをアンロックできるようにする最先端技術のシステムは、全て電気機械式であり、電源、典型的には電池を必要とする。これは、電力消費が電池容量に比べて小さいので、大きな問題ではないけれども、電池の消耗ゆえに自身の情報が奪われることをユーザが許容しない可能性があるので、リスクである。さらに、電池を含むことはまた、製品のコストおよび複雑さを増加させるであろう。
【発明の開示】
【発明が解決しようとする課題】
【０００５】
ＵＦＤがホストシステムから切り離されている間に、かつ電源の必要なしにロックをアンロックできる、ＵＦＤをロックおよびアンロックするためのシステムを有することは、望ましいであろう。
【課題を解決するための手段】
【０００６】
明確にするために、用語「ＵＦＤ」は、本出願の文脈内で用いるために具体的に定義される。用語「ＵＦＤ」は、本出願において、ＵＳＢフラッシュドライブまたは任意の他の携帯記憶装置を指すために用いられる。「ＵＦＤ」の「Ｕ」はＵＳＢを表わすが、それは、コネクタがＵＳＢコネクタだけでなければならないことを意味しない。同様に、「ＵＦＤ」の「Ｆ」は「フラッシュ」を表わすが、それは、記憶技術をフラッシュ技術に限定しない。最後に、「ＵＦＤ」の「Ｄ」は「ドライブ」を表わすが、それは、記憶装置を、ディスクドライブのごとく機能するように限定しない。用語ＵＦＤは、便宜上用いられる。なぜなら、本発明のほとんどのインプリメンテーションにおいて、記憶装置は、実際にＵＦＤだからである。
【０００７】
本出願において、用語「無電力」は、持続的な電源を欠く装置を指すために用いられる。したがって、本発明には、電力がユーザの相互作用から抽出される実施形態が含まれる。本出願において、用語「検証」は、パスワード入力機構の現在の機械的状態が、パスワード入力機構の所定の機械的状態と同一であると、状態識別機構によって決定するプロセスを指す。本出願において、「比較的長い」は、ユーザが、ホストシステムへのＵＦＤの挿入動作を物理的に行なうために必要と予想される最長時間より長い期間を指すために用いられる。
【０００８】
本発明の目的は、パスワードでＵＦＤを保護するためのシステムを教示することであり、この場合に、パスワードは、ＵＦＤがホストシステムによって電力を供給されたときに解釈されるが、しかしホストシステムへのＵＦＤの挿入に先立ってユーザによって入力される。パスワードの標準的定義には、このケースでは機械的ボタンを用いるが、装置のアクセスおよび使用のための検証された識別子として用いられる任意で一意の英数字シーケンスが含まれるであろうが、本出願では、用語「パスワード」は、ダイヤル、スライダ、スイッチおよび／または他の機械的装置の正確な設定を主に含むように用いられる。
【０００９】
さらに、本発明の好ましい実施形態において、パスワードは、ＵＦＤ内部で解釈されてホストシステムには通信されず、その結果、ホストシステムを用いてパスワードを捕捉することは困難かまたは不可能である。
【００１０】
本発明の好ましい実施形態において、パスワードは、信頼できるホストシステムを用いて、ユーザにより変更することができる。
【００１１】
本発明の別の好ましい実施形態において、機械的な問題ゆえに、ユーザが、ＵＦＤにおける機構を介してパスワードを入力できない場合には、パスワードは、ホストシステムを通して導入することができる。
【００１２】
本発明の別の好ましい実施形態において、パスワードは、ＵＦＤに付与できる、かつパスワードの入力を必要としないトークンに、埋め込まれる。
【００１３】
本発明の別の好ましい実施形態において、ＵＦＤは、トークンとの正常なチャレンジレスポンス対話に応じてアンロックされる。
【００１４】
前述の実施形態の組み合わせもまた、本発明の実施形態と見なされる。
【００１５】
したがって、本発明によれば、無電力ロック可能ＵＦＤシステムが初めて提供されるが、このシステムには、（ａ）ＵＦＤに動作可能に接続されるように構成された、複数の識別可能な機械的状態を有するパスワード入力機構と、（ｂ）複数の識別可能な機械的状態を識別するための状態識別機構と、（ｃ）（ｉ）状態識別機構への外部電力供給と、（ｉｉ）パスワード入力機構の現在の機械的状態が、パスワード入力機構の所定の機械的状態と同一であるという、状態識別機構による検証と、に基づいてのみ、ＵＦＤとホストシステムとの間の動作接続を達成するための電気機構と、が含まれる。
【００１６】
好ましくは、パスワード入力機構には、少なくとも１つの機械的ノブが含まれる。
【００１７】
好ましくは、パスワード入力機構には、少なくとも１つの機械的ボタンが含まれる。
【００１８】
好ましくは、状態識別機構は、ホストシステムに位置する。
【００１９】
好ましくは、所定の機械的状態は、所定のシーケンスに従って、ＵＦＤの単一セッションの利用後に自動的に変化するように構成される。
【００２０】
好ましくは、所定の機械的状態は、パスワード入力機構に入力されると観察者の視界から隠される。
【００２１】
好ましくは、システムにはさらに、（ｄ）所定の機械的状態を変更するための状態変更機構が含まれる。
【００２２】
好ましくは、所定の機械的状態は、少なくとも１つのホイールの所定の角度位置である。
【００２３】
最も好ましくは、少なくとも１つのホイールの回転は、２つのワイヤ間の電気抵抗を変更するように構成される。
【００２４】
好ましくは、少なくとも１つのホイールは、少なくとも１つのホイールの回転がシャフトエンコーダの符号化を変更するように、構成される。
【００２５】
好ましくは、状態識別機構は、ＵＦＤに位置する。
【００２６】
より好ましくは、ＵＦＤは、ホストシステムによって電力を供給されるように構成される。
【００２７】
最も好ましくは、状態識別機構は、ＵＦＤへの電力供給に基づいて自動的に動作を開始するように構成される。
【００２８】
好ましくは、システムには、（ｄ）ホストシステムからのＵＦＤの比較的長い切断に基づいて電気機構を再設定するための再設定機構であって、それに関し、ＵＦＤとホストシステムとの間の前記動作接続を再び達成するために、前記所定の機械的状態の再確立を必要とする再設定機構がさらに含まれる。
【００２９】
好ましくは、システムには、（ｄ）ＵＦＤとホストシステムとの間の動作接続が確立されたことに基づいて、パスワード入力機構の現在の機械的状態を変更するようにユーザに気づかせるためのアラーム機構がさらに含まれる。
【００３０】
最も好ましくは、アラーム機構は、ＵＦＤがホストシステムに接続されている間に、現在の機械的状態を修正すべくユーザに周期的に警告するように構成される。
【００３１】
最も好ましくは、アラーム機構は、現在の機械的状態が変更されるまで、ＵＦＤとホストシステムとの間の動作接続を拒否するように構成される。
【００３２】
本発明によれば、無電力ロック可能周辺装置システムが初めて提供されるが、このシステムには、（ａ）周辺装置に動作可能に接続されるように構成された、複数の識別可能な機械的状態を有するパスワード入力機構と、（ｂ）複数の識別可能な機械的状態を識別するための状態識別機構と、（ｃ）（ｉ）状態識別機構への外部電力供給と、（ｉｉ）パスワード入力機構の現在の機械的状態が、パスワード入力機構の所定の機械的状態と同一であるという、状態識別機構による検証と、に基づいてのみ、周辺装置とホストシステムとの間の動作接続を達成するための電気機構と、が含まれる。
【００３３】
好ましくは、周辺装置は、ハードディスクドライブ（ＨＤＤ）、プリンタ、スキャナ、カメラおよび携帯メモリ装置からなる群から選択される。
【００３４】
本発明によれば、無電力ロック可能ＵＦＤに格納されたデータにアクセスする方法が初めて提供されるが、この方法には、次のステップ、すなわち、（ａ）ＵＦＤへの外部電力供給に基づいて、少なくとも１つのパスワード入力機構の機械的状態を、所定の機械的状態と比較するようにＵＦＤを構成するステップと、（ｂ）機械的状態を第１の状態に設定するステップと、（ｃ）機械的状態を第１の状態に設定するステップに続いて、ＵＦＤをホストシステムに動作可能に接続するステップと、（ｄ）ホストシステムによるＵＦＤへの電力供給に基づいて、第１の状態を所定の状態と比較するステップと、（ｅ）第１の状態と所定の状態との間の一致に基づいてのみ、ＵＦＤとホストシステムとの間の動作接続をイネーブルにするステップと、が含まれる。
【００３５】
これらおよびさらなる実施形態が、下記の詳細な説明および例から明らかになるであろう。
【００３６】
本発明は、本明細書において、添付の図面に関連して例として説明される。
【発明を実施するための最良の形態】
【００３７】
本発明は、ＵＦＤ（ＵＳＢフラッシュドライブ）に格納され、そこから検索される情報を安全に保護するための、かつＵＦＤにパスワードを入力するために電力を必要としない無電力ロック可能ＵＦＤシステムおよび方法に関する。本発明による無電力ロック可能ＵＦＤシステムの原理および動作は、図面および付随する説明に関連してよりよく理解することができる。
【００３８】
ここで図面を参照すると、図は、本発明のいくつかの実施形態によるシステムの簡略ブロック図を示す。イスラエル（Ｉｓｒａｅｌ）のケファサバ（Ｋｅｆａｒ  Ｓａｂａ）におけるエム・システムズ・インク（Ｍ−Ｓｙｓｔｅｍｓ  Ｉｎｃ．）から入手可能なディスクオンキーTM（ＤｉｓｋＯｎＫｅｙTM）携帯メモリなどのＵＦＤ２２が、パーソナルコンピュータなどのホストシステム２４に接続される。ＵＦＤ２２は、記憶領域３６を有するが、この記憶領域３６は、ＵＦＤ２２におけるコントローラ３４を介して、記憶領域３６とホストシステム２４との間で転送されるデータの記憶用に用いられる。コントローラ３４は、記憶領域３６へのアクセスを、もしかかるトランザクションが許可されるというパスワード比較器３０からの指示がなければ、ホストシステム２４に対して拒否するように設計される。
【００３９】
パスワードデコーダ２８から受信されたパスワードが、ＵＦＤ２２内のパスワード記憶装置３２に格納された標準パスワード（ｎｏｍｉｎａｌ  ｐａｓｓｗｏｒｄ）と一致することにパスワード比較器３０が納得した場合には、パスワード比較器３０は、コントローラ３４に許可を与える。パスワード比較器３０、パスワード記憶装置３２およびコントローラ３４は、単一の電子チップ２３上で互いに物理的に接近して位置する。これによって、ハッカーが、比較器３０とコントローラ３４との間のパスワード確認部３３にアクセスできるようになるのが防止される。かかるアクセスによって、ハッカーは、パスワードが正確であるという虚偽の指示をコントローラに３４に提供するのが可能になるであろう。
【００４０】
１つまたは複数の機械式位置指示器２６が、ＵＦＤ２２の一体的な部分かまたはＵＦＤ２２に装着される別個の部分であってもよいパスワード入力部２０に位置する。位置指示器２６は、電位差計、抵抗器ラダー、小型スイッチアレイ、サムホイールスイッチアレイ、光学シャフトエンコーダ、または電気機構が安定した機械的設定を識別できるようにする任意の他の機構であってもよい。
【００４１】
ユーザが、ＵＦＤ２２をホストシステム２４に差し込むと、ＵＦＤ２２は、そのコネクタ、典型的にはＵＳＢコネクタを通してホストシステム２４により電力を供給される。起動されると、パスワードデコーダ２８は、位置指示器２６の出力をデジタルパスワードに変換する。本発明の好ましい実施形態において、位置指示器２６の出力は、抵抗またはキャパシタンスなどのアナログ部品値の形式をとり、パスワードデコーダ２８が、アナログ値をデジタル数字に変換する。本発明の別の好ましい実施形態において、パスワードデコーダ２８は、１つまたは複数の光源および光電池などの、位置指示器２６における能動素子をトリガし、デジタル出力を読み出す。
【００４２】
ひとたびパスワードデコーダ２８が、位置指示器２６の出力をデジタル値に変換すると、パスワードデコーダ２８は、このデジタル値（すなわちパスワード）をパスワード比較器３０に出力する。パスワード比較器３０は、このパスワードを、パスワード記憶装置３２に格納された標準パスワードと比較する。２つのパスワードが一致する場合には、パスワード比較器３０は、記憶領域３６へのアクセスを可能にする指示を、パスワード確認部３３を介してコントローラ３４へ送信する。
【００４３】
ＵＦＤ２２がアンロックされているときに、ユーザは、パスワードを変更することができる。本発明の好ましい一実施形態において、この手順は、ホストシステム２４において設定ソフトウェアアプリケーション３８によって遂行される。ホストシステム２４は、パスワード、生体認証またはトークンなどの、オペレーティングシステム４０によって規制されたセキュリティアクセス制御の従来方法によって保護される。本発明の別の好ましい実施形態において、パスワードデコーダ２８およびパスワード比較器３０が、ホストシステム２４に位置することが注目される。
【００４４】
本発明の別の好ましい実施形態において、ＵＦＤ２２のパスワードは、以下のように、ＵＦＤ２２におけるモーメンタリボタン４２を起動することにより再設定することができる。ＵＦＤ２２がアンロックされている間にモーメンタリボタン４２を押下することによって、位置指示器２６の現在の設定が、新しいパスワードになるように起動される。これによって、ユーザは、信頼できるホストシステムへのアクセスを必要とせずに、パスワードを変更することが可能になる。好ましくは、起動のために必要なモーメンタリボタン４２の押下は、位置指示器２６の偶然的な設定にパスワードを変更する可能性がある偶発的な起動を回避するために、長くかつ断続的であるべきである。
【００４５】
位置指示器２６が秘密のパスワードに設定された状態でＵＦＤ２２がホストシステム２４に挿入されるので、動作時に、ＵＦＤ２２へのアクセスを有する者が、位置指示器２６の設定を見て、それにより、パスワードを入手するリスクがある。これは、数々の方法でパスワードを隠すことによって回避できる望ましくない状況である。本発明の好ましい実施形態によれば、パスワードは、とりわけ、以下の方法で隠すことができる。すなわち、
（１）ひとたびＵＦＤ２２がアンロックされたら、ＵＦＤ２２に埋め込まれたモータ（図示せず）が、位置指示器２６をシャッフルすることができる。
（２）システムは、ＵＦＤ２２がアンロックされた後、短期間、典型的には５秒間、ＵＦＤ２２をアンロックされた状態に維持することができる。これは、ＵＦＤ２２のエレクトロニクスを５秒間、動作可能に維持することを必要とし、その結果、ＵＦＤ２２は、ホストシステム２４から取り外されたときにロック位置に再設定されない。この期間を維持するために必要な少量の電気は、充電されたキャパシタ（図示せず）によって供給することができる。この実施形態によれば、ユーザは、位置指示器２６を正確なパスワードに設定し、ＵＦＤ２２をホストシステム２４に差し込み、ＵＦＤ２２がアンロックされたことを検証し、一時的にＵＦＤ２２をホストシステム２４から引き抜いて位置指示器２６をシャッフルし、次に、使用のために、ＵＦＤ２２を再びホストシステム２４に差し込む。
（３）監視ソフトウェアアプリケーション（図示せず）が、パスワード確認部３３を監視し、かつＵＦＤ２２の使用中に、位置指示器２６の出力が変更されたことを（パスワード確認部３３を通して）検証するまで、ユーザに位置指示器２６をシャッフルするように周期的に警告することができる。代替として、監視ソフトウェアアプリケーションは、位置指示器２６がシャッフルされるまで、ＵＦＤ２２の使用を不可能にすることができる。
（４）標準パスワードは、所定のシーケンスに従って、各起動セッション中に、設定ソフトウェアアプリケーション３８によって自動的に変更することができ、その結果、ユーザは、各エントリに際して異なるパスワードを用いる必要がある。この実施形態において、動作中のＵＦＤ２２を見ても、ハッカーは、有益な情報を提供されない。
（５）パスワード入力部２０および位置指示器２６は、パスワード入力の完了時に、パスワード設定をＵＦＤ２２内の隠された位置に保持することによって、観察者の視界からパスワードが隠されるように、構成することができる。かかる構成の例は、普通の回転タンブラー錠で用いられる機構である。これらのタイプの錠において、ユーザは、ダイヤルを回転させて順に各タンブラーを設定するが、しかしタンブラーの位置は、錠の外からは見ることができない。
（６）ボタンセットは、位置指示器２６として用いることができ、かつパスワード入力の完了時に、押下されたシーケンスをＵＦＤ２２内の隠された位置に保持することによって、パスワードが観察者の視界から隠されるように、構成することができる。押下されたボタンは、押下されなかったボタンとは見て分かるほど異なっていない。全てのボタンの状態をクリアするために、別個のボタンを構成することができる。
【００４６】
本発明に含まれる実施形態の中で、上記の無電力電子ロックは、ＵＦＤ以外の装置で利用できることが注目される。本発明によるロック装置は、ホストシステムに接続される数多くの着脱可能な周辺装置に同様に組み込むことができる。したがって、外部ハードディスクドライブ（ＨＤＤ）、プリンタ、スキャナ、カメラ、携帯メモリ装置および他のタイプの周辺装置などの装置に、同様のセキュリティおよび利便機能を提供することができる。
【００４７】
限られた数の実施形態に関連して本発明を説明したが、本発明の多くの変形、修正および他の応用例を実現可能なことが認識されよう。
【図面の簡単な説明】
【００４８】
【図１】本発明のいくつかの実施形態によるシステムの簡略ブロック図を示す。
【図１】
2009529718.tif 000003